(57)【要約】      （修正有）【課題】燃焼筐の冷却不足を解消して、且つ、コストダウンを図れるようにした燃焼装置を提供する。【解決手段】燃焼筐１内に、燃焼筐内の空間を燃焼室２と燃焼室の下側の給気室３とに仕切る仕切り板４が設けられ、仕切り板の前端に、上方に屈曲する起立板部４２と、起立板部の上端から前方に屈曲して燃焼筐の前面の外壁板１１に達する上板部４３とが設けられ、上板部に一次空気室に連通する通気孔４５が形成された燃焼装置であって、外壁板の内面を隙間を存して覆う遮熱板１４が設けられ、遮熱板の下端の後方に屈曲する庇部１４１に、各バーナ５の上部前端部が係合する切欠きが形成されるものにおいて、庇部の後端に、隣接するバーナ間に位置させて、下方に屈曲する垂下板部１４６を曲成し、通気孔を介して一次空気室３１から空気が流入する庇部と上板部との間の空間を垂下板部１４６により燃焼室から仕切る。【選択図】図３
2016011825.tif 000002
【特許請求の範囲】
【請求項１】
燃焼筐を備え、燃焼筐内に、燃焼筐内の空間を燃焼室と燃焼室の下側の給気室とに仕切る仕切り板が設けられ、上端に混合気を噴出する炎口を有する前後方向に長手のバーナが燃焼室内に横方向に並べて複数並設され、給気室から仕切り板に形成した多数の分布孔を介して燃焼室に二次空気が供給されるようにし、
仕切り板の前端に、上方に屈曲する起立板部と、起立板部の上端から前方に屈曲して燃焼筐の前面の外壁板に達する上板部とが設けられ、給気室の前端部に、起立板部の前側で上板部に達するように立上る一次空気室が設けられ、起立板部に、各バーナの混合管部の上流端を臨ませる各流入口が形成され、一次空気室の前側に、各流入口に対向する各ノズルを有するガスマニホールドが設けられ、各流入口に各ノズルから燃料ガスが供給されると共に一次空気室から一次空気が供給されるようにした燃焼装置であって、
燃焼筐の前面の外壁板の上板部よりも上方部分の内面を隙間を存して覆う遮熱板が設けられ、遮熱板の下端に形成した後方に屈曲する庇部に、各バーナの上部前端部が係合する切欠きが形成され、上板部に、一次空気室に連通する通気孔が形成されるものにおいて、
庇部の後端に、隣接するバーナ間に位置させて、下方に屈曲する垂下板部が曲成され、庇部と上板部との間の空間が垂下板部により燃焼室から仕切られ、この空間に通気孔を介して一次空気室から空気が流入することを特徴とする燃焼装置。
【請求項２】
前記庇部に、空気が噴出する噴出孔が形成されることを特徴とする請求項１記載の燃焼装置。
【請求項３】
前記垂下板部の下端に、前記上板部の上面に沿って前方にのびて前記燃焼筐の前面の外壁板に当接する舌片部が曲成されることを特徴とする請求項１又は２記載の燃焼装置。
【発明の詳細な説明】
【技術分野】
【０００１】
本発明は、燃焼筐を備え、燃焼筐内に、燃焼筐内の空間を燃焼室と燃焼室の下側の給気室とに仕切る仕切り板が設けられ、上端に混合気を噴出する炎口を有する前後方向に長手のバーナが燃焼室内に横方向に並べて複数並設され、給気室から仕切り板に形成した多数の分布孔を介して燃焼室に二次空気が供給されるようにした燃焼装置に関する。
【背景技術】
【０００２】
従来、この種の燃焼装置においては、仕切り板の前端に、上方に屈曲する起立板部と、起立板部の上端から前方に屈曲して燃焼筐の前面の外壁板に達する上板部とが設けられ、給気室の前端部に、起立板部の前側で上板部に達するように立上る一次空気室が設けられ、起立板部に、各バーナの混合管部の上流端を臨ませる各流入口が形成され、一次空気室の前側に、各流入口に対向する各ノズルを有するガスマニホールドが設けられ、各流入口に各ノズルから燃料ガスが供給されると共に一次空気室から一次空気が供給されるようにしている。
【０００３】
また、燃焼筐の前面の外壁板の上板部よりも上方部分の内面を隙間を存して覆う遮熱板を設け、遮熱板の下端に形成した後方に屈曲する庇部に、各バーナの上部前端部が係合する切欠きを形成して、各バーナが横方向に位置決めされるようにしている。更に、上板部に、一次空気室に連通する通気孔を形成し、一次空気室から通気孔を介して噴出する空気が遮熱板と外壁板との間の隙間に冷却空気として流れ、燃焼筐の耐熱性が確保されるようにしている。
【０００４】
但し、このままでは、通気孔から噴出する空気の一部が上板部の後上方の燃焼室の部分に流れてしまい、冷却不足を生ずることがある。そこで、従来、特許文献１により、上板部の通気孔より後方の上面部分に、庇部に達する遮蔽板を立設したものが知られている。
【０００５】
これによれば、通気孔から噴出する空気が上板部の後上方の燃焼室の部分に流れることを遮蔽板で防止して、冷却不足を解消できる。然し、このものでは、遮熱板とは別の遮蔽板が必要になって部品点数が増し、コストが高くなる不具合がある。
【先行技術文献】
【特許文献】
【０００６】
【特許文献１】特開２０１１−２７３７７号公報
【発明の概要】
【発明が解決しようとする課題】
【０００７】
本発明は、以上の点に鑑み、冷却不足を解消して、且つ、コストダウンを図れるようにした燃焼装置を提供することをその課題としている。
【課題を解決するための手段】
【０００８】
上記課題を解決するために、本発明は、燃焼筐を備え、燃焼筐内に、燃焼筐内の空間を燃焼室と燃焼室の下側の給気室とに仕切る仕切り板が設けられ、上端に混合気を噴出する炎口を有する前後方向に長手のバーナが燃焼室内に横方向に並べて複数並設され、給気室から仕切り板に形成した多数の分布孔を介して燃焼室に二次空気が供給されるようにし、仕切り板の前端に、上方に屈曲する起立板部と、起立板部の上端から前方に屈曲して燃焼筐の前面の外壁板に達する上板部とが設けられ、給気室の前端部に、起立板部の前側で上板部に達するように立上る一次空気室が設けられ、起立板部に、各バーナの混合管部の上流端を臨ませる各流入口が形成され、一次空気室の前側に、各流入口に対向する各ノズルを有するガスマニホールドが設けられ、各流入口に各ノズルから燃料ガスが供給されると共に一次空気室から一次空気が供給されるようにした燃焼装置であって、燃焼筐の前面の外壁板の上板部よりも上方部分の内面を隙間を存して覆う遮熱板が設けられ、遮熱板の下端に形成した後方に屈曲する庇部に、各バーナの上部前端部が係合する切欠きが形成され、上板部に、一次空気室に連通する通気孔が形成されるものにおいて、庇部の後端に、隣接するバーナ間に位置させて、下方に屈曲する垂下板部が曲成され、庇部と上板部との間の空間が垂下板部により燃焼室から仕切られ、この空間に通気孔を介して一次空気室から空気が流入することを特徴とする。
【０００９】
本発明によれば、通気孔から噴出する空気が上板部の後上方の燃焼室の部分に流れることを垂下板部により防止して、冷却不足を解消できる。そして、垂下板部は、遮熱板の庇部の後端に曲成されるもので、遮熱板と一体であるため、遮熱板とは別体の遮蔽板を設ける上記従来例のものに比し、部品点数を削減してコストダウンを図ることができる。
【００１０】
また、本発明においては、庇部に、空気が噴出する噴出孔を形成することが望ましい。これによれば、庇部と上板部との間の空間に上板部に形成した通気孔から流入する空気の一部が噴出孔から噴出して庇部の上方の遮熱板の部分の背面に沿って上方に流れ、この空気流により遮熱板が効果的に冷却され、遮熱板を含む燃焼筐全体の耐熱性が一層向上する。
【００１１】
ところで、燃焼装置の組立時に、垂下板部の位置がバーナに押されてずれてしまうと、燃焼性能や燃焼筐の冷却性能がばらついてしまう。そのため、本発明においては、垂下板部の下端に、上板部の上面に沿って前方にのびて燃焼筐の前面の外壁板に当接する舌片部を曲成することが望ましい。これによれば、垂下板部がバーナに押されても、舌片部が前面の外壁板に当接することで、垂下板部の位置ずれを防止できる。従って、垂下板部の位置ずれに起因する燃焼性能や冷却性能のばらつきを抑制することができる。
【図面の簡単な説明】
【００１２】
【図１】本発明の実施形態の燃焼装置の斜視図。
【図２】図１のＩＩ−ＩＩ線で切断した燃焼装置の断面図。
【図３】図２のＩＩＩ−ＩＩＩ線で切断した燃焼装置の切断側面図。
【図４】実施形態の燃焼装置の前側の遮熱板の斜視図。
【図５】実施形態の燃焼装置の後側の遮熱板の斜視図。
【図６】他の実施形態の燃焼装置の図３に対応する切断側面図。
【図７】図６の燃焼装置の前側の遮熱板の斜視図。
【発明を実施するための形態】
【００１３】
図１乃至図３を参照して、１は、給湯用熱源機から成る燃焼装置を構成する燃焼筐を示している。燃焼筐１の上面は開放されており、燃焼筐１の上に被加熱物として図示省略した給湯用熱交換器が設置される。燃焼筐１内には、燃焼筐１内の空間を燃焼室２とその下側の給気室３とに仕切る仕切り板４が設けられている。燃焼室２内には、上端に混合気（燃料ガスと一次空気との混合ガス）を噴出する多数の炎口５１を有する前後方向に長手のバーナ５が横方向に並べて複数並設されている。
【００１４】
給気室３の底面には図外の燃焼ファンが接続されており、燃焼ファンから給気室３に空気が供給される。仕切り板４には、多数の分布孔４１が形成されており、給気室３に供給された空気がこれら分布孔４１を介して燃焼室２に二次空気として供給されるようにしている。
【００１５】
また、仕切り板４の前端には、上方に屈曲する起立板部４２と、起立板部４２の上端から前方に屈曲して燃焼筐１の前面の外壁板１１に達する上板部４３とが設けられている。そして、給気室３の前端部に、起立板部４２の前側で上板部４３に達するように立上る一次空気室３１が設けられる。起立板部４２には、各バーナ５の下部の混合管部５２の上流端を臨ませる各流入口４４が形成され、一次空気室３１の前側には、ガスマニホールド６が設けられている。ガスマニホールド６には、各流入口４４に対向する各ノズル６１が設けられており、各流入口４４、即ち、各バーナ５に各ノズル６１から燃料ガスが供給されると共に一次空気室３１から一次空気が供給される。また、燃焼筐１の前面の外壁板１１には、フレームロッド７と点火電極８と覗き窓９とが配置されている。尚、図１ではガスマニホールド６が省略されている。
【００１６】
ここで、燃焼筐１のバーナ５上端よりも上方の壁板部分はバーナ５の燃焼で強く加熱される。そこで、燃焼筐１の耐熱性を確保するために、燃焼筐１の前面の外壁板１１、後面の外壁板１２及び左右各側面の外壁板１３のバーナ５上端よりも上方の部分の内面を隙間を存して覆う前側と後側と左右各側の遮熱板１４、１５、１６を設けている。
【００１７】
前側と後側の遮熱板１４、１５の下端の高さはバーナ５上端よりも若干低くなっており、これら遮熱板１４、１５の下端に、前後方向内方（前側の遮熱板１４では後方、後側の遮熱板１５では前方）に屈曲する庇部１４１、１５１を形成している。そして、図４、図５に示す如く、これら各庇部１４１、１５１に各バーナ５の上部の前後の各端部が係合する切欠き１４２、１５２を形成して、各バーナ５が横方向に位置決めされるようにしている。
【００１８】
また、前側と後側の各遮熱板１４、１５の上下方向中間部に形成した前後方向外方に屈曲する段部１４３、１５３に透孔１４４、１５４を形成して、庇部１４１、１５１より上方の各遮熱板１４、１５の部分と燃焼筐１の前後の各外壁板１１、１２との間の隙間に透孔１４４、１５４に向けて冷却用空気が流れるようにしている。更に、前側と後側の各遮熱板１４、１５の庇部１４１、１５１に、空気が噴出する噴出孔１４５、１５５を形成し、噴出孔１４５、１５５から噴出する空気が庇部１４１、１５１の上方の遮熱板１４、１５の内面に沿って上方に流れ、この空気流により遮熱板１４、１５が効果的に冷却されるようにしている。尚、噴出孔１４５、１５５は、庇部１４１、１５１の前後方向外方寄りの部分に、切欠き１４２、１５２に連続して形成され、更に、前側の遮熱板１４の庇部１４１には、隣接する切欠き１４２、１４２間に位置させて、小径の第２の噴出孔１４５´が形成されている。
【００１９】
ところで、燃焼筐１の前面の外壁板１１と前側の遮熱板１４との間の隙間や噴出孔１４５、１４５´には、仕切り板４の上板部４３に形成した一次空気室３１に連通する通気孔４５から空気が供給される。然し、このままでは、通気孔４５から噴出する空気の一部が上板部４３の後上方の燃焼室２の部分に流れてしまい、冷却不足を生ずる。
【００２０】
そこで、本実施形態では、前側の遮熱板１４の庇部１４１の後端に、隣接するバーナ５、５間に位置させて、下方に屈曲する垂下板部１４６を曲成している。そして、庇部１４１と仕切り板４の上板部４３との間の空間が垂下板部１４６により燃焼室２から仕切られ、この空間に通気孔４５を介して一次空気室３１から空気が流入するようにしている。
【００２１】
これによれば、通気孔４５から噴出する空気が上板部４３の後上方の燃焼室２の部分に流れることを垂下板部１４６により防止して、冷却不足を解消できる。更に、垂下板部１４６は、遮熱板１４の庇部１４１の後端に曲成されるもので、遮熱板１４と一体であるため、遮熱板とは別体の遮蔽板を設ける上記従来例のものに比し、部品点数を削減してコストダウンを図ることができる。
【００２２】
尚、本実施形態では、庇部１４１と上板部４３との間の空間を燃焼室２から仕切るため、起立板部４２の上端部に垂下板部１４６の下端部を接触させているが、上板部４３の上面に垂下板部１４６の下端を当接させてよい。
【００２３】
また、図６、図７に示す実施形態の如く、垂下板部１４６の下端に、上板部４３の上面に沿って前方にのびて前面の外壁板１１に当接する舌片部１４７を曲成してもよい。これによれば、燃焼装置の組立時に、垂下板部１４６がバーナ５に押されても、舌片部１４７が前面の外壁板１１に当接することで、垂下板部１４６の位置ずれを防止できる。従って、垂下板部１４６の位置ずれに起因する燃焼性能や燃焼筐１の冷却性能のばらつきを抑制することができる。尚、この場合は、上板部４３の各舌片部１４７，１４７間に位置する部分に一次空気室３１に連通する通気孔を形成する。
【符号の説明】
【００２４】
１…燃焼筐、１１…前面の外壁板、１４…遮熱板、１４１…庇部、１４２…切欠き、１４５、１４５´…噴出孔、１４６…垂下板部、１４７…舌片部、２…燃焼室、３…給気室、３１…一次空気室、４…仕切り板、４１…分布孔、４２…起立板部、４３…上板部、４４…流入口、４５…通気孔、６…ガスマニホールド、６１…ノズル。
【図１】
2016011825.tif 000003
【図２】
2016011825.tif 000004
【図３】
2016011825.tif 000005
【図４】
2016011825.tif 000006
【図５】
2016011825.tif 000007
【図６】
2016011825.tif 000008
【図７】
2016011825.tif 000009